(57)【要約】【課題】放送形態で送信されるメッセージのデコード必要性と関連した情報を移動局に送信する場合のように、無線接続システムにおけるチャネル記述子送信を提供する。【解決手段】遊休モードに進入するためにサービング基地局に遊休モード要請を送信する段階と、デコード情報送信フレーム値及びデコード情報変更状態を一つ以上の基地局から受信する段階と、前記デコード情報変更状態が前記デコード情報の変更を指示する場合、前記遊休モードを維持する段階と、前記送信フレーム値が到達するとき、前記一つ以上の基地局から前記デコード情報を受信する段階とを含んで遊休モード制御方法を構成する。【選択図】図１
2008526092.tif 000002
【特許請求の範囲】
【請求項１】
移動局の遊休モードを制御する方法において、
前記遊休モードに進入するためにサービング基地局に遊休モード要請を送信する段階と、
デコード情報送信フレーム値及びデコード情報変更状態を一つ以上の基地局から受信する段階と、
前記デコード情報変更状態が前記デコード情報の変更を指示する場合、前記遊休モードを維持する段階と、
前記送信フレーム値が到達するとき、前記一つ以上の基地局から前記デコード情報を受信する段階と、を含む、遊休モード制御方法。
【請求項２】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含むことを特徴とする、請求項１に記載の遊休モード制御方法。
【請求項３】
前記デコード情報は、順方向エラー訂正（Ｆｏｒｗａｒｄ  Ｅｒｒｏｒ  Ｃｏｒｒｅｃｔｉｏｎ：ＦＥＣ）コードタイプ情報を含むことを特徴とする、請求項１に記載の遊休モード制御方法。
【請求項４】
前記伝送フレーム値は、フレーム番号を含むことを特徴とする、請求項１に記載の遊休モード制御方法。
【請求項５】
前記伝送フレーム値は、フレームオフセットを含むことを特徴とする、請求項１に記載の遊休モード制御方法。
【請求項６】
前記一つ以上の基地局は、同一のページンググループに含まれることを特徴とする、請求項１に記載の遊休モード制御方法。
【請求項７】
前記方法は、前記デコード情報変更状態が前記デコード情報の変更なしを指示する場合、前記遊休モードを維持する段階をさらに含むことを特徴とする、請求項１に記載の遊休モード制御方法。
【請求項８】
ネットワークで移動局の遊休モードを制御する方法において、
前記移動局から前記遊休モードに進入するための遊休モード要請を受信する段階と、
前記移動局にデコード情報送信フレーム値及びデコード情報変更状態を送信する段階と、
前記デコード情報変更状態がデコード情報の変更を指示する場合、前記移動局は前記遊休モードを維持し、前記送信フレーム値が到達するとき、前記デコード情報を前記移動局に送信する段階と、を含む、遊休モード制御方法。
【請求項９】
前記ネットワークは、一つ以上の基地局及びページング制御器を含み、前記ページング制御器は、ページンググループの基地局内のページングを制御するように構成されることを特徴とする、請求項８に記載の遊休モード制御方法。
【請求項１０】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含むことを特徴とする、請求項８に記載の遊休モード制御方法。
【請求項１１】
前記デコード情報は、順方向エラー訂正（ｆｏｒｗａｒｄ  ｅｒｒｏｒ  ｃｏｒｒｅｃｔｉｏｎ：ＦＥＣ）コードタイプ情報を含むことを特徴とする、請求項８に記載の遊休モード制御方法。
【請求項１２】
前記デコード情報送信フレーム値及び前記デコード情報変更状態は、各ページング周期ごとに前記移動局に放送されることを特徴とする、請求項８に記載の遊休モード制御方法。
【請求項１３】
無線通信システムで遊休モードを制御する移動局において、
前記遊休モードに進入するためにサービング基地局に遊休モード要請を送信する手段と、
一つ以上の基地局からデコード情報送信フレーム値及びデコード情報変更状態を受信する手段と、
前記デコード情報変更状態が前記デコード情報の変更を指示する場合、前記遊休モードを維持する手段と、
前記送信フレーム値が到達するとき、前記一つ以上の基地局から前記デコード情報を受信する手段と、を含む移動局。
【請求項１４】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含むことを特徴とする、請求項１３に記載の移動局。
【請求項１５】
前記デコード情報は、順方向エラー訂正（Ｆｏｒｗａｒｄ  Ｅｒｒｏｒ  Ｃｏｒｒｅｃｔｉｏｎ：ＦＥＣ）コードタイプ情報を含むことを特徴とする、請求項１３に記載の移動局。
【請求項１６】
前記伝送フレーム値は、フレーム番号を含むことを特徴とする、請求項１３に記載の移動局。
【請求項１７】
前記伝送フレーム値は、フレームオフセットを含むことを特徴とする、請求項１３に記載の移動局。
【請求項１８】
前記一つ以上の基地局は、同一のページンググループに含まれることを特徴とする、請求項１３に記載の移動局。
【請求項１９】
前記方法は、前記デコード情報変更状態が前記デコード情報の変更なしを指示する場合、前記遊休モードを維持する手段をさらに含むことを特徴とする、請求項１３に記載の移動局。
【請求項２０】
移動局の遊休モードを制御するネットワークにおいて、
前記移動局から前記遊休モードに進入するための遊休モード要請を受信する手段と、
前記移動局にデコード情報送信フレーム値及びデコード情報変更状態を送信する手段と、
前記デコード情報変更状態がデコード情報の変更を指示する場合、前記移動局は前記遊休モードを維持し、前記送信フレーム値が到達するとき、前記デコード情報を前記移動局に送信する手段と、を含むネットワーク。
【請求項２１】
前記ネットワークは、一つ以上の基地局及びページング制御器を含み、前記ページング制御器は、ページンググループの基地局内のページングを制御するように構成されることを特徴とする、請求項２０に記載のネットワーク。
【請求項２２】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含むことを特徴とする、請求項２０に記載のネットワーク。
【請求項２３】
前記デコード情報は、順方向エラー訂正（ｆｏｒｗａｒｄ  ｅｒｒｏｒ  ｃｏｒｒｅｃｔｉｏｎ：ＦＥＣ）コードタイプ情報を含むことを特徴とする、請求項２０に記載のネットワーク。
【請求項２４】
前記デコード情報送信フレーム値及び前記デコード情報変更状態は、各ページング周期ごとに前記移動局に放送されることを特徴とする、請求項２０に記載のネットワーク。
【発明の詳細な説明】
【技術分野】
【０００１】
本発明は、無線接続システムに関するもので、より具体的には、無線接続システムにおける遊休モードまたは睡眠モードに関するものである。
【背景技術】
【０００２】
従来、広帯域無線接続システムの睡眠モード及び遊休モードで動作する移動局（Ｍｏｂｉｌｅ  Ｓｕｂｓｃｒｉｂｅｒ  Ｓｙｓｔｅｍ；ＭＳＳ）は、睡眠モードまたは遊休モードを持続できるという事実を確認するために、放送メッセージであるトラフィック公知メッセージ及びページング広告メッセージを常に受信し、これをデコードして自身に対する情報を確認しなければならない。
【０００３】
トラフィック公知メッセージ及びページング広告メッセージは、睡眠モード及び遊休モードにある全ての移動局に対する情報を含んでいるので、一般的にその長さが非常に長い。その結果、このメッセージをデコードするためには、移動局において相当な電力消耗が発生する可能性がある。
【０００４】
特に、ほとんどの移動局においては、実際にデータを取り交わす時間よりもデータ受信のための待機時間の方が遥かに長い。したがって、ほとんどの場合、睡眠モードにある移動局は、睡眠モードの持続を指示する（Ｎｅｇａｔｉｖｅ  ｉｎｄｉｃａｔｉｏｎ）トラフィック公知メッセージを受信し、遊休モードにある移動局は、遊休モードの持続を指示する（Ｎｏ  Ａｃｔｉｏｎ  Ｒｅｑｕｉｒｅｄ）ページング広告メッセージを受信する。睡眠モード及び遊休モードは、共通的にトラフィック公知メッセージやページング広告メッセージなどの放送を通して該当のモードにある移動局を制御する。
【０００５】
睡眠モード及び遊休モードにある全ての移動局が自身にとって有効でないメッセージを不要にデコードすると、移動局の電力が不要に消耗されることになる。
【発明の開示】
【発明が解決しようとする課題】
【０００６】
したがって、本発明は、従来技術の限界及び不利な点による少なくとも一つの問題を本質的に解決するためになされたもので、遊休モードまたは睡眠モードにある移動局のためのチャネル記述子送信の公知に関するものである。
【０００７】
本発明の一つの目的は、放送形態で送信されるメッセージのデコード必要性と関連した情報を移動局に送信する場合のように、無線接続システムにおけるチャネル記述子送信を提供することにある。チャネル記述子情報は、ダウンリンクチャネル記述子（ｄｏｗｎｌｉｎｋ  ｃｈａｎｎｅｌ  ｄｅｓｃｒｉｐｔｏｒ：ＤＣＤ）またはアップリンクチャネル記述子（ｕｐｌｉｎｋ  ｃｈａｎｎｅｌ  ｄｅｓｃｒｉｐｔｏｒ：ＵＣＤ）及び／またはデコード情報を含む。そうすると、移動局は、必要なメッセージのみをデコードすることができる。このような動作によって移動局の電力消耗が減少することで、一層効果的な通信が可能になる。
【０００８】
本発明の他の長所、目的及び特徴は、発明の詳細な説明において開示されており、これは、当該技術分野における当業者であれば本発明を実現するに足りる。また、本発明の目的及びその他の長所は、開示された発明の詳細な説明及び特許請求の範囲だけでなく図面によっても実現される。
【課題を解決するための手段】
【０００９】
上記の利点または他の利点を得るために、そして、本発明の目的によって具体化されて概略的に説明されたように、移動局の遊休モードを制御する方法は、前記遊休モードに進入するためにサービング基地局に遊休モード要請を送信し、デコード情報送信フレーム値及びデコード情報変更状態を一つ以上の基地局から受信する段階を含む。また、前記方法は、前記デコード情報変更状態が前記デコード情報の変更を指示する場合、前記遊休モードを維持する段階と、前記送信フレーム値が到達するとき、前記一つ以上の基地局から前記デコード情報を受信する段階とを含む。
【００１０】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含む。前記デコード情報は、順方向エラー訂正（Ｆｏｒｗａｒｄ  Ｅｒｒｏｒ  Ｃｏｒｒｅｃｔｉｏｎ：ＦＥＣ）コードタイプ情報を含む。前記伝送フレーム値は、フレーム番号を含む。前記伝送フレーム値は、フレームオフセットを含む。前記一つ以上の基地局は、同一のページンググループに含まれる。また、前記方法は、前記デコード情報変更状態が前記デコード情報の変更なしを指示する場合、前記遊休モードを維持する段階をさらに含む。
【００１１】
本発明の他の様態として、ネットワークで移動局の遊休モードを制御する方法は、前記移動局から前記遊休モードに進入するための遊休モード要請を受信する段階と、前記移動局にデコード情報送信フレーム値及びデコード情報変更状態を送信する段階とを含む。また、前記デコード情報変更状態がデコード情報の変更を指示する場合、前記移動局は前記遊休モードを維持する。そして、前記方法は、前記送信フレーム値が到達するとき、前記デコード情報を前記移動局に送信する段階を含む。
【００１２】
前記ネットワークは、一つ以上の基地局及びページング制御器を含み、前記ページング制御器は、ページンググループの基地局内のページングを制御するように構成される。前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含む。前記デコード情報は、順方向エラー訂正（ｆｏｒｗａｒｄ  ｅｒｒｏｒ  ｃｏｒｒｅｃｔｉｏｎ：ＦＥＣ）コードタイプ情報を含む。前記デコード情報送信フレーム値及び前記デコード情報変更状態は、各ページング周期ごとに前記移動局に放送される。
【００１３】
本発明に係る前述した一般的な記載及び後述する実施例は、一つの例に過ぎなく、以下、本発明について詳述する。
【産業上の利用可能性】
【００１４】
本発明は、広帯域無線接続システムに適用されうる。
【発明を実施するための最良の形態】
【００１５】
以下、図面を参照して、本発明の実施例について詳しく説明すれば、次のとおりである。なお、図面全体における同一の構成要素には、同一の符号を与えることにする。
【００１６】
本発明は、ＩＥＥＥ８０１．１６ｅ文書による無線接続システムで具体化されるが、他の文書による無線接続システムでも具体化されうる。
【００１７】
本発明は、放送形態で送信されるメッセージのデコード必要性に対する情報が移動局に送信される場合のように、無線接続システムでチャネル記述子の送信を提供することができる。チャネル記述子情報は、ダウンリンクチャネル記述子（ｄｏｗｎｌｉｎｋ  ｃｈａｎｎｅｌ  ｄｅｓｃｒｉｐｔｏｒ：ＤＣＤ）またはアップリンクチャネル記述子（ｕｐｌｉｎｋ  ｃｈａｎｎｅｌ  ｄｅｓｃｒｉｐｔｏｒ：ＵＣＤ）及び／またはデコード情報を含む。移動局は、必要なメッセージのみをデコーディングする。このような動作によって移動局での電力消耗が減少することで、一層効果的な通信提供が可能になる。
【００１８】
睡眠モードにある移動局の動作は、聴取期間および睡眠期間の反復で行われる。聴取期間の長さ値は、睡眠要請／睡眠応答メッセージを通して固定される。聴取期間の間、移動局は、基地局から伝送されるトラフィック公知（ＭＯＢ―ＴＲＦ―ＩＮＤ）メッセージを通して、自身に向かうダウンリンクトラフィックがあるのか、または、睡眠モードを継続的に維持可能であるかに対する指示を確認することができる。睡眠期間の長さは、睡眠ウィンドウによって決定される。睡眠期間の間、移動局は、電力消耗を最小化するために基地局から最小限のダウンリンク信号のみを受信する。
【００１９】
睡眠モードの動作は、移動局と基地局との間で睡眠要請（例えば、ＭＯＢ―ＳＬＰ−ＲＥＱ）メッセージ、睡眠応答（例えば、ＭＯＢ―ＳＬＰ―ＲＳＰ）メッセージ、放送形態で伝達されるトラフィック公知（例えば、ＭＯＢ―ＴＲＦ―ＩＮＤ）メッセージなどの管理メッセージを取り交わすことで行われる。
【００２０】
表１は、移動局がサービス基地局に、睡眠期間及び聴取期間などを含む睡眠モード要請のために伝達する管理メッセージの一例を示したものである。
【００２１】
【表１】
2008526092.tif 000003
表２は、サービス基地局が移動局に、睡眠モード許諾可否、睡眠期間、聴取期間及び睡眠ＩＤなどの睡眠モードと関連した情報を伝達するための睡眠応答（例えば、ＭＯＢ―ＳＬＰ―ＲＳＰ）メッセージの一例を示したものである。
【００２２】
【表２】
2008526092.tif 000004
表３は、一定間隔で伝達される放送形態のトラフィック公知（例えば、ＴＲＦ―ＩＮＤ）メッセージの一例を示したものである。睡眠モードの移動局は、聴取期間の間にトラフィック公知メッセージを受信し、継続的に睡眠モードを維持するか、または、睡眠モードを終了してからダウンリンクデータを受信するかを決定する。
【００２３】
【表３】
2008526092.tif 000005
遊休モードは、移動局がページング領域内で周期的なページング広告（ＭＯＢ＿ＰＡＧ―ＡＤＶ）メッセージを受信することで、移動局の電力効率を高めると同時に移動性を支援する。ページング領域は、多数個の基地局の領域を含む。一つのページング領域を構成するためには、基地局間の有線上に伝送される表４のような形式の基地局間メッセージ（例えば、Ｐａｇｉｎｇ―Ｇｒｏｕｐ―Ａｃｔｉｏｎ）が用いられる。
【００２４】
【表４】
2008526092.tif 000006
基地局間メッセージ（Ｐａｇｉｎｇ―ｇｒｏｕｐ―ａｃｔｉｏｎ）は、基地局間に伝達され、動作（Ａｃｔｉｏｎ）ビットの組み合わせによって多様な用途で用いられる。第一の用途として、受信する基地局（ｔａｒｇｅｔ  ＢＳ）を特定のページンググループに指定することができる（例えば、Ａｃｔｉｏｎ＝０）。第二の用途として、受信する基地局を特定のページンググループから除外することができる（例えば、Ａｃｔｉｏｎ＝１）。第三の用途として、受信する基地局がどのページンググループに属するかを問い合わせることができる（例えば、Ａｃｔｉｏｎ＝２）。第四の用途として、送信する基地局（Ｓｅｎｄｅｒ  ＢＳ）がどのページンググループに属するかを知らせることができる（例えば、Ａｃｔｉｏｎ＝３）。
【００２５】
一つの基地局が一つ以上のページング領域に属することもあるので、基地局間メッセージは、多数個のページンググループに対する情報を含む。基地局間メッセージを通して、各基地局は、各ページング領域で使用するページング周期及びページングオフセットを知ることができる。また、基地局間メッセージを通して、基地局を動的にページンググループに割り当てることが可能である。
【００２６】
遊休モードに進入するために、移動局は、表５の登録解除要請（ＤＲＥＧ＿ＲＥＱ）メッセージを使用する。
【００２７】
【表５】
2008526092.tif 000007
移動局は、登録解除要請メッセージの登録解除要請コードを０ｘ０１に設定して基地局に伝達することで、自身の遊休モードへの転換を要請することができる。このとき、移動局は、所望のページング周期を伝達することができる。前記メッセージを受けた基地局は、表６に示すように、登録解除命令（例えば、ＤＲＥＧ＿ＣＭＤ）メッセージを通して移動局の要請に応答することができる。
【００２８】
【表６】
2008526092.tif 000008
基地局は、登録解除命令（例えば、ＤＲＥＧ＿ＣＭＤ）メッセージの動作コードを通して遊休モードへの転換を許容することができ（例えば、動作コード＝０ｘ０５）、所定時間の経過後、遊休モードへの転換を再び要請することができ（例えば、動作コード＝０ｘ０６）、移動局が登録解除命令メッセージを伝送するまで、遊休モードへの転換を要請しない（例えば、動作コード＝０ｘ０７）。登録解除命令メッセージの例示的な動作コードは、表７に示す通りである。
【００２９】
【表７】
2008526092.tif 000009
該当の移動局が遊休モードの間に維持すべきページンググループＩＤ、ページング周期及びページングオフセット値は、登録解除命令メッセージに選択的に含まれるＴＬＶ（Ｔｙｐｅ  Ｌｅｎｇｔｈ  Ｖａｌｕｅ）項目を通して伝達される。
【００３０】
その後、移動局は、次の表８のページング広告（例えば、ＭＯＢ―ＰＡＧ―ＡＤＶ）メッセージを所定のページング周期及びページングオフセットの間に受信することで、遊休モードを維持または終了する。
【００３１】
【表８】
2008526092.tif 000010
広帯域無線接続システムは、基地局と移動局との間のポイントツーマルチポイント（Ｐｏｉｎｔ‐ｔｏ‐Ｍｕｌｔｉｐｏｉｎｔ）連結のための媒体接続制御（Ｍｅｄｉｕｍ  Ａｃｃｅｓｓ  Ｃｏｎｔｒｏｌ；以下‘ＭＡＣ’という）階層と物理（Ｐｈｙｓｉｃａｌ；以下‘ＰＨＹ’という）階層のプロトコルを定義することができる。
【００３２】
図１は、本発明の一実施例に係る広帯域無線接続システムのプロトコル階層を示す構造図である。
【００３３】
図１に示すように、ＭＡＣ階層の最上部は、サービス収斂副階層（Ｓｅｒｖｉｃｅ  Ｓｐｅｃｉｆｉｃ  Ｃｏｎｖｅｒｇｅｎｃｅ  Ｓｕｂｌａｙｅｒ）として、上部の多様な核心網のパケットデータをＭＡＣ規格による共通のプロトコルデータユニット（Ｐｒｏｔｏｃａｌ  Ｄａｔａ  Ｕｎｉｔ；以下‘ＰＤＵ’という）形式に変換し、該当のパケットのヘッダを圧縮する役割を行う。
【００３４】
広帯域無線接続システムの物理階層は、大きく単一搬送波方式と多重搬送波方式（ＯＦＤＭ／ＯＦＤＭＡ）とに区分される。多重搬送波方式は、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；以下‘ＯＦＤＭ’という）を使用することができ、搬送波の一部をグループ化した副チャネル単位で資源を割り当てることができる。ＯＦＤＭは、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下‘ＯＦＤＭＡ’という）を可能にする。
【００３５】
表９は、ＯＦＤＭとＯＦＤＭＡの共通的な物理階層特性を示したものである。
【００３６】
【表９】
2008526092.tif 000011
表９によると、順方向エラー訂正（Ｆｏｒｗａｒｄ  Ｅｒｒｏｒ  Ｃｏｒｒｅｃｔｉｏｎ；以下‘ＦＥＣ’という）符号化は、共通的にリードソロモンコード（Ｒｅｅｄ‐Ｓｏｌｏｍｏｎ  Ｃｏｄｅ；以下、‘ＲＳ  Ｃｏｄｅ’という）と畳み込みコード（Ｃｏｎｖｏｌｕｔｉｏｎａｌ  Ｃｏｄｅ）の連接符号またはブロックターボコード（Ｂｌｏｃｋ  Ｔｕｒｂｏ  Ｃｏｄｅ；以下‘ＢＴＣ’という）を選択的に使用し、ＢＰＳＫ／ＱＰＳＫ／１６―ＱＡＭ／６４―ＱＡＭの変調方式を使用する。ＦＥＣコーディングには、チャネル状態によって変調モードと符号化率方式を動的に選択する適応変調／コーディング（Ａｄａｐｔｉｖｅ  Ｍｏｄｕｌａｔｉｏｎ／Ｃｏｄｉｎｇ；以下‘ＡＭＣ’という）が適用される。ＡＭＣのためのチャネル品質測定には、受信信号強度（ＲＳＳＩ）、信号対雑音比（ＣＩＮＲ）、またはビットエラー率（ＢＥＲ）を用いる。
【００３７】
ＯＦＤＭＡ物理階層では、活性搬送波をグループに分離し、活性搬送波は、グループ別にそれぞれ異なる受信端に送信される。このように、特定の受信端に伝送される搬送波のグループを副チャネルという。
【００３８】
図２は、本発明の一実施例に係るＯＦＤＭＡ物理階層の副チャネルを示す説明図である。
【００３９】
図２は、副搬送波を含む３個の例示的な副チャネルを示している。このとき、各副チャネルを構成する副搬送波は、互いに隣接するか、等間隔を有して離れている。このように副チャネル単位での多重接続を可能にすることで、具現上の複雑度が増加するか、周波数ダイバーシティ利得、電力の集中による利得、及び順方向電力制御を効率的に行えるという長所がある。各使用者に割り当てられるスロットは、２次元空間のデータ領域によって定義される。２次元空間は、バーストによって割り当てられる連続的な副チャネルの集合である。
【００４０】
図３は、本発明の一実施例に係るＯＦＤＭＡのデータ領域を示す説明図である。
【００４１】
図３に示すように、ＯＦＤＭＡの一つのデータ領域は、時間座標および副チャネル座標によって決定される直四角形で示される。
【００４２】
図４は、本発明の一実施例に係るＦＥＣブロックをＯＦＤＭＡ副チャネルとＯＦＤＭシンボルにマッピングする過程を示す説明図である。
【００４３】
図４によると、データ領域は、特定の使用者のアップリンクに割り当てられる。また、ダウンリンクでは、基地局が特定の使用者にデータ領域を伝送することができる。このような２次元空間でのデータ領域を定義するためには、時間領域でのＯＦＤＭシンボルの数と、周波数領域での基準点からオフセットだけ離れた位置で開始される連続的な副チャネルの数が与えられる。
【００４４】
ＭＡＣデータは、ＦＥＣブロック大きさによって分割され、各ＦＥＣブロックは、各副チャネルの時間軸で３個のＯＦＤＭシンボルを占めるように拡張される。各ＦＥＣブロックに対して副チャネル番号を増加させながら、マッピングが継続的に順次行われる。データ領域の端に到達すると、その次に低い番号のＯＦＤＭシンボルから同一の方法でマッピングを継続的に行う。
【００４５】
図５は、本発明の一実施例に係る広帯域無線接続システムにおいて、ＯＦＤＭＡ物理階層のフレーム構造を示す構造図である。
【００４６】
図５によると、ダウンリンク副フレームは、物理階層での同期化及び等化のために用いられるプリアンブルから開始され、その次には、ダウンリンク及びアップリンクに割り当てられるバーストの位置及び用途を定義する放送形態のダウンリンクマップ（例えば、ＤＬ―ＭＡＰ）メッセージ及びアップリンクマップ（例えば、ＵＬ―ＭＡＰ）メッセージを通してフレーム全体に対する構造を定義する。
【００４７】
表１０及び表１１は、ＤＬ―ＭＡＰメッセージとＵＬ―ＭＡＰメッセージの一例をそれぞれ示したものである。
【００４８】
【表１０】
2008526092.tif 000012
【００４９】
【表１１】
2008526092.tif 000013
ＤＬ―ＭＡＰメッセージは、バーストモード物理階層でダウンリンク区間に対してバースト別に割り当てられた用途を定義し、ＵＬ―ＭＡＰメッセージは、アップリンク区間に対して割り当てられたバーストの用途を定義する。
【００５０】
表１２は、ＤＬ―ＭＡＰ情報要素（例えば、ＤＬ―ＭＡＰ  ＩＥ）の一例を示したものである。
【００５１】
【表１２】
2008526092.tif 000014
表１２に示すように、ＤＬ―ＭＡＰを構成する情報要素（Ｉｎｆｏｒｍａｔｉｏｎ  Ｅｌｅｍｅｎｔ；以下‘ＩＥ’という）は、ダウンリンク間隔使用コード（例えば、Ｄｏｗｎｌｉｎｋ  Ｉｎｔｅｒｖａｌ  Ｕｓａｇｅ  Ｃｏｄｅ；以下‘ＤＩＵＣ’という）、コネクション識別子（例えば、Ｃｏｎｎｅｃｔｉｏｎ  ＩＤ；以下‘ＣＩＤ’という）及びバーストの位置情報（例えば、副チャネルオフセット、シンボルオフセット、副チャネル数、シンボル数）によって使用者端にダウンリンクトラフィック区間が区分される。
【００５２】
また、ＵＬ―ＭＡＰメッセージを構成する情報要素は、表１３のように各ＣＩＤ別にＵＩＵＣによって用途が決定され、デュレーション（ｄｕｒａｔｉｏｎ）によって該当区間の位置が規定される。ここで、ＵＬ―ＭＡＰで用いられるＵＩＵＣ値によって区間別用途が決定され、各区間は、その以前のＩＥ開始点からＵＬ―ＭＡＰ  ＩＥで規定されたデュレーションだけ離れた地点で開始する。
【００５３】
【表１３】
2008526092.tif 000015
ダウンリンクチャネル記述子（Ｄｏｗｎｌｉｎｋ  Ｃｈａｎｎｅｌ  Ｄｅｓｃｒｉｐｔｏｒ；以下‘ＤＣＤ’という）メッセージは、ダウンリンクに割り当てられたバースト区間で適用される物理階層と関連したパラメーターとして、変調タイプ、ＦＥＣコードタイプなどを含む。また、アップリンクチャネル記述子（Ｕｐｌｉｎｋ  Ｃｈａｎｎｅｌ  Ｄｅｓｃｒｉｐｔｏｒ；以下‘ＵＣＤ’という）メッセージは、アップリンクに割り当てられたバースト区間で適用される物理階層と関連したパラメーターとして、変調タイプ、ＦＥＣコードタイプなどを含む。また、多様な順方向エラー訂正コード類型によって、必要なパラメーター（例えば、Ｒ―ＳコードのＫ、Ｒ値など）を規定する。これらパラメーターは、ＵＣＤ及びＤＣＤの内部でそれぞれＵＩＵＣ（Ｕｐｌｉｎｋ  Ｉｎｔｅｒｖａｌ  Ｕｓａｇｅ  Ｃｏｄｅ）及びＤＩＵＣ（Ｄｏｗｎｌｉｎｋ  Ｉｎｔｅｒｖａｌ  Ｕｓａｇｅ  Ｃｏｄｅ）別に規定されたバーストプロファイルによって与えられる。
【００５４】
表１４及び表１５は、それぞれＤＣＤ、ＵＣＤメッセージの一例を示したものである。
【００５５】
【表１４】
2008526092.tif 000016
【００５６】
【表１５】
2008526092.tif 000017
ＤＣＤ及びＵＣＤメッセージは、それぞれ毎フレームごとに伝送されるものでなく、最大１０秒の周期を有して周期的に伝送される。ＤＣＤ及びＵＣＤメッセージに含まれた設定変化カウント値は、表１０及び表１１にそれぞれ示したＤＬ―ＭＡＰ及びＵＬ―ＭＡＰに含まれたカウント値と同一である。したがって、移動局は、ＤＬ−ＭＡＰ及びＵＬ−ＭＡＰに含まれた設定変化カウント値を通して、設定の変化可否を知ることができる。もし、ＤＬ―ＭＡＰ及びＵＬ―ＭＡＰに含まれた設定変化カウント値が変化した場合、移動局は、ＤＣＤ及びＵＣＤメッセージを受信する。
【００５７】
次に、広帯域無線接続システムのＭＡＣ階層に対して説明する。ＣＳ（Ｓｅｒｖｉｃｅ‐Ｓｐｅｃｉｆｉｃ  Ｃｏｎｖｅｒｇｅｎｃｅ  Ｓｕｂｌａｙｅｒ）は、ＭＡＣ  ＣＰＳ（Ｃｏｍｍｏｎ  Ｐａｒｔ  Ｓｕｂｌａｙｅｒ）上に存在する階層である。ＣＳは、上位階層からのＰＤＵ受信、上位階層ＰＤＵの分類、この分類に基づいた上位階層ＰＤＵの処理、適切なＭＡＣ  ＳＡＰへのＣＳ  ＰＤＵ伝達、ピアエンティティからのＣＳ  ＰＤＵ受信のような機能を行う。また、ＣＳは、上位階層ＰＤＵをコネクション別に分類し、選択仕様としてペイロードヘッダの情報を圧縮したり、圧縮したヘッダ情報を復元する機能を提供する。
【００５８】
ＭＡＣ  ＣＰＳは、連結基盤に移動局と基地局との間のパケット伝送において各パケットを適切なサービス流れにマッピングさせ、連結基盤のサービス流れによってそれぞれ異なる水準のサービス品質（ＱｏＳ）を提供する。以下、ＭＡＣ  ＣＰＳで定義されるＭＡＣ  ＰＤＵ形態を説明する。
【００５９】
図６Ａは、本発明の一実施例に係るＭＡＣ  ＰＤＵ形式を示す構造図で、図６Ｂは、本発明の一実施例に係るＭＡＣ管理メッセージ形式を示す構造図である。
【００６０】
図６Ａ及び図６Ｂによると、ＭＡＣ  ＰＤＵは、大きくＭＡＣ管理ＰＤＵと使用者データＭＡＣ  ＰＤＵとに区分される。ＭＡＣ管理ＰＤＵは、ＭＡＣ階層の動作のために予め規定されたＭＡＣ管理メッセージをペイロードとして用いる。そして、各ペイロードの前にはＭＡＣヘッダが付く。そして、各加入者付加アップリンクで必要な帯域を動的に要請するための帯域要請ＰＤＵは、別途のペイロードなしに、帯域要請ヘッダと呼ばれるヘッダのみを有する特殊な形態のＭＡＣ管理ＰＤＵに該当する。使用者データに該当するパケットＰＤＵは、ＭＡＣ  ＳＤＵのペイロードにマッピングされる。パケットＰＤＵは、ＭＡＣヘッダとＣＲＣとが付いてＭＡＣ  ＰＤＵとなる。
【００６１】
図６Ｃは、本発明の一実施例に係る多数のＭＡＣ  ＰＤＵを連接して一つのアップリンクバーストとして伝送する構造を示す構造図である。
【００６２】
図６Ｃによると、各ＭＡＣ  ＰＤＵは、固有のコネクション識別子（ＣＩＤ）によって区分され、同一のバーストに使用者データ（ＵＳＥＲ  ＰＤＵ）のみならず、ＭＡＣ管理メッセージ、帯域要請ＰＤＵなども一緒に連接される。
【００６３】
ＭＡＣ管理メッセージは、管理メッセージの類型を示すフィールド及び管理メッセージペイロードによって構成される。管理メッセージのうちＤＣＤ、ＵＣＤ、ＵＬ―ＭＡＰ、ＤＬ―ＭＡＰなどは、上述したように、フレームの構造、帯域割り当て及び物理階層パラメーターを直接規定する代表的な管理メッセージに該当する。
【００６４】
図７は、本発明の一実施例に係る移動局の睡眠モード動作を説明するためのフローチャートである。
【００６５】
図７によると、移動局は、基地局に睡眠モードへの転換を要請し、睡眠モードを維持してから、該当の移動局にダウンリンクトラフィックが発生すると睡眠モードを終了する。以下、それぞれの動作を説明する。
【００６６】
移動局は、睡眠要請メッセージに最初の睡眠期間、最後の睡眠期間及び聴取期間などの値を設定して基地局に伝達し、睡眠モードへの転換を要請する（Ｓ７０１）。基地局は、該当の移動局の睡眠モード転換を許諾する場合、最初の睡眠期間、最後の睡眠期間、聴取期間、睡眠モード転換開始時間などを設定した睡眠応答メッセージ（Ｓ７０２）を移動局に伝達する。
【００６７】
移動局は、睡眠モード転換開始時間になると、最初の睡眠期間の間に睡眠モードを維持する。基本的に、移動局は、聴取期間の間に全てのフレームを受信してデコードしなければならない。移動局は、最初の睡眠期間が満了すると、聴取期間の間に基地局からトラフィック公知メッセージ（Ｓ７０３）を受け、自身に向かうダウンリンクトラフィックがないとき、最初の睡眠期間の２倍ほどの期間の間に睡眠モードを維持する。
【００６８】
上述した規則（次の睡眠期間を以前の睡眠期間の２倍ほどに設定）を通して、睡眠期間は継続的に増加する。睡眠応答メッセージを通して設定された最後の睡眠期間になると、最後の睡眠期間を次の睡眠期間として反復する。ただし、最後の睡眠期間は、前記睡眠応答メッセージのパラメーターを通して数学式１によって決定される。
［数学式１］
最後の睡眠ウィンドウ＝最後の睡眠ウィンドウベース＊２最後のウィンドウ指数
移動局は、聴取期間中に、自身に向かうダウンリンクトラフィックがあることをトラフィック公知メッセージを通して受けると、睡眠モードを終了し、正常モードでダウンリンクトラフィックを受信する。
【００６９】
以下、遊休モードの動作に対して説明する。
【００７０】
ページング領域は、ページンググループという多数個の基地局の集合に含まれる基地局が担当する全体領域と定義される。同一のページンググループに含まれる基地局は、同一値のページング周期及びページングオフセットを有する。
【００７１】
移動局は、基地局に遊休モードへの転換を要請することができる。基地局が自身のページンググループＩＤ、それによるページング周期及びページングオフセットを伝達することで、該当の移動局は遊休モード状態に転換される。移動局は、遊休モードの間に、約束したページング周期ごとに基地局から放送形態で伝達されるページング広告メッセージを通して、継続的に遊休モードを維持するか、遊休モードを終了するかを決定する。
【００７２】
遊休モードにある移動局が伝送すべきアップリンクトラフィックが発生した場合、移動局は、いつでも遊休モードを終了することが可能である。遊休モードにある移動局に伝達すべきダウンリンクトラフィックが発生した場合、基地局は、ページング広告メッセージを通して移動局における遊休モードを終了させる。所定の時間にページングを受信できない場合（例えば、遊休モードの移動局が移動し、他のページング領域に移動したり同期を喪失した場合）、移動局は遊休モードを終了する。
【００７３】
既存の睡眠モード及び遊休モードの動作において、睡眠モード及び遊休モードにある移動局の電力消耗を最小化するために、睡眠モード及び遊休モードにある移動局に周期的に伝達されるトラフィック公知メッセージ及びページングメッセージの有効性を早期に知らせる方法が必要である。このために、睡眠モード及び遊休モードにある移動局を共通的に適切にグループ化し、適切な長さの早期公示情報を構成する。そして、ダウンリンクフレームを通して、前記早期公示情報を睡眠モード及び遊休モードにある移動局に伝達することができる。
【００７４】
早期公示情報は、ダウンリンクフレームを通して放送形態で伝達される。情報の長さが非常に長い場合、却って無線資源の浪費をもたらす。したがって、適切な長さの早期公示情報を構成する方法が要求される。適切な長さの早期公示情報を構成するために、まず、睡眠モード及び遊休モードにある移動局を区分するための指示子として、例えば、各移動局に固有に割り当てられた４８ビットのＭＡＣ住所を使用する。
【００７５】
睡眠モード及び遊休モードにある全ての移動局を適切な個数のグループに分類するためのグループの個数は、Ｎ＿Ｇｒｏｕｐで示される。このとき、前記グループ化において移動局が睡眠モードにあるか遊休モードにあるかに関係なく、ＭＡＣ住所のみを基準にすることができる。結果的に、睡眠モードまたは遊休モードにある移動局が属するグループのグループインデックス（Ｇｒｏｕｐ＿Ｉｎｄｅｘ）は、数学式２によって決定される。
［数学式２］
Ｇｒｏｕｐ＿Ｉｎｄｅｘ＝（ＭＡＣ住所）ｍｏｄｕｌｏ  Ｎ＿Ｇｒｏｕｐ
数学式２において、Ｇｒｏｕｐ＿Ｉｎｄｅｘは、該当の移動局のＭＡＣ住所をグループの個数であるＮ＿Ｇｒｏｕｐで分けたときの残りを意味する。したがって、Ｇｒｏｕｐ＿Ｉｎｄｅｘの値は、０とＮ＿Ｇｒｏｕｐ―１との間の値を有する。
【００７６】
例えば、睡眠モード及び遊休モードにある全ての移動局を１０個のグループに分類する場合（Ｎ＿Ｇｒｏｕｐ＝１０）、ＭＡＣ住所が１０２である移動局は、１０ｍｏｄｕｌｏ（１０２）によって２番のグループに属するようになる。上記のようなグループ化過程が終了すると、基地局は、各グループに属する移動局に対する早期公示のために一種のフラグを構成することができる。フラグの長さ（例えば、ビット数）は、グループの数と同一である。すなわち、フラグの長さは、Ｎ＿Ｇｒｏｕｐによって決定される。
【００７７】
何れかのグループに属する移動局のうち一つの移動局において、トラフィック公知メッセージ及びページング広告メッセージをデコードすべき（すなわち、睡眠モードまたは遊休モードを維持できない）移動局がある場合、基地局は、該当の移動局が属するグループに対するフラグをポジティブ公知に設定することができる。この場合、前記ポジティブ公知は‘１’で表現される。
【００７８】
何れかのグループに属する移動局のうち全ての移動局において、トラフィック公知メッセージ、ページング広告メッセージをデコードする必要がない場合、基地局は、該当のグループ全体に対するフラグをネガティブ公知に設定することができる。この場合、前記ネガティブ公知は‘０’で表現される。
【００７９】
次は、本発明を詳細に説明するための一実施例である。ここでは、ＭＡＣ住所がそれぞれ１、２、３、４、５である５個の移動局があり、現在のフレームで３のＭＡＣ住所を有する移動局がトラフィック公知メッセージ及びページング広告メッセージをデコードするように指示すべき場合を仮定する。５個の移動局を２個のグループに分類する場合（すなわち、Ｎ＿Ｇｒｏｕｐ＝２）、数学式２によって、ＭＡＣ住所が２、４である移動局のＧｒｏｕｐ＿Ｉｎｄｅｘは０に設定され、ＭＡＣ住所が１、３、５である移動局のＧｒｏｕｐ＿Ｉｎｄｅｘは１に設定される。
【００８０】
ＭＡＣ住所が３である移動局にポジティブ公知を伝達するために、基地局は、二つのビットのフラグのうちＧｒｏｕｐ＿Ｉｎｄｅｘが１であるフラグをポジティブに設定すべきであるので、表１６のような形態のフラグを有する。
【００８１】
【表１６】
2008526092.tif 000018
前記フラグは、５個の移動局の全てに放送形態で伝達される。フラグがネガティブで表示されたＧｒｏｕｐ＿Ｉｎｄｅｘを有する移動局は、該当のダウンリンクフレームに含まれたトラフィック公知メッセージ及びページングメッセージをデコードしない。
【００８２】
上記の実施例で説明したように、早期公示フラグを通して、一部の移動局がトラフィック公知メッセージ及びページングメッセージを不要にデコードすることを防止できる。しかし、ポジティブに設定されたグループに属する移動局は、依然としてトラフィック公知メッセージ及びページングメッセージをデコードする。
【００８３】
したがって、早期公知フラグを通した効率を一層高めるために、次のような方法を使用する。本実施例において、基地局は、睡眠モード及び遊休モードにある移動局の総個数と、今回のフレームでポジティブに設定すべき移動局の個数を知っているので、二つの数を考慮した上でグループの個数Ｎ＿Ｇｒｏｕｐを動的に決定することができる。また、ポジティブに設定されたＧｒｏｕｐ＿Ｉｎｄｅｘを有する移動局のみを対象にして再びグループ化することで、早期公示の正確度を高めることができる。このとき、ポジティブに設定されたＧｒｏｕｐ＿Ｉｎｄｅｘを有する移動局をＮ＿Ｐｏｓｉｔｉｖｅ＿Ｇｒｏｕｐ個のグループに分類し、各グループを識別するための識別子をＰｏｓｉｔｉｖｅ＿Ｇｒｏｕｐ＿Ｉｎｄｅｘと定義することができる。
【００８４】
上記の実施例において、Ｇｒｏｕｐ＿Ｉｎｄｅｘがポジティブである移動局を再びＮ＿Ｐｏｓｉｔｉｖｅ＿Ｇｒｏｕｐ＝３にグループ化すると、数学式２によって、ＭＡＣ住所が１である移動局は、Ｐｏｓｉｔｉｖｅ＿Ｇｒｏｕｐ＿Ｉｎｄｅｘが１であるグループに属し、ＭＡＣ住所が３である移動局は、Ｐｏｓｉｔｉｖｅ＿Ｇｒｏｕｐ＿Ｉｎｄｅｘが０であるグループに属し、ＭＡＣ住所が５である移動局は、Ｐｏｓｉｔｉｖｅ＿Ｇｒｏｕｐ＿Ｉｎｄｅｘが２であるグループに属する。したがって、最終の早期公示フラグは、表１７のような形態を有する。
【００８５】
【表１７】
2008526092.tif 000019
結果的に、基地局は、睡眠モード及び遊休モードにある移動局に、Ｎ＿Ｇｒｏｕｐ及びＮ＿Ｐｏｓｉｔｉｖｅ＿Ｇｒｏｕｐの値と一緒に早期公示フラグを伝送する場合、ポジティブに設定されたグループに属する移動局のみが該当のトラフィック公知メッセージ及びページングメッセージをデコードする。しかし、ネガティブに設定されたグループに属する移動局は、メッセージデコーディングによる電力消耗を最小化することができる。
【００８６】
早期公示フラグは、遊休モードにある移動局がＤＣＤ／ＵＣＤメッセージを受信すべきである場合、現在のフレームにＤＣＤ／ＵＣＤメッセージが伝送されるかどうかを示す情報を含む。
【００８７】
移動局が遊休モードにある間にアップリンク及びダウンリンクトラフィックが発生したとき、ネットワークに一層速く進入するためには、現在の移動局が位置した基地局のＤＣＤ／ＵＣＤ変数を予め保存しなければならない。したがって、ＤＣＤ／ＵＣＤ変数が変更されるときごとに、ＤＣＤ／ＵＣＤメッセージを受信する必要性がある。前記ＤＣＤ／ＵＣＤ変数は、移動局が同一のページンググループに属する他の基地局領域に進入した場合のみならず、同一の基地局領域内でも変更される。
【００８８】
図８は、本発明の一実施例に係る遊休モード状態の移動局がＤＣＤ／ＵＣＤメッセージを受信する方法を示す説明図である。
【００８９】
図８によると、ＤＣＤ／ＵＣＤは、ＤＣＤ／ＵＣＤ伝送周期という変数の値と同一の周期で伝送される。移動局で現在のフレームにＤＣＤ／ＵＣＤメッセージが含まれるかどうかを知るためには、実際にバーストをデコードしなければならない。すなわち、遊休モード状態にある移動局は、ＤＬ―ＭＡＰメッセージを通して伝送されるＤＣＤカウント用いてＤＣＤ／ＵＣＤの変更を知ることができるが、実際にバーストをデコードする前には、受信したメッセージがＤＣＤ／ＵＣＤに関するものであるかを知ることができない。したがって、遊休モード状態の移動局は、ＤＣＤ／ＵＣＤメッセージを受信する前に、ダウンリンクフレームで放送される全てのメッセージをデコードしなければならない。これによって、電力消耗が発生してしまう。
【００９０】
図９は、本発明の他の実施例に係る遊休モード状態の移動局がＤＣＤ／ＵＣＤメッセージを受信する方法を示す説明図である。
【００９１】
図９に示すように、早期公示フラグを用いて現在のフレームにＤＣＤ／ＵＣＤメッセージが含まれるかどうかに関する情報を伝送することができる。現在のフレームにＤＣＤ／ＵＣＤメッセージが含まれるかどうかに関する情報は、早期公示フラグのＤＣＤ／ＵＣＤ指示子を用いて伝送することができる。したがって、移動局は、早期公示フラグのＤＣＤ／ＵＣＤ指示子を確認し、この値が１に設定されたダウンリンクフレームに限って放送されるメッセージをデコードすることで、移動局の電力消耗を最小化することができる。
【００９２】
表１８は、早期公示フラグの一例を示したものである。
【００９３】
【表１８】
2008526092.tif 000020
早期公示フラグは、ＤＬ―ＭＡＰに一つのＩＥとして含まれるか、ダウンリンク開始で分離された放送メッセージで伝達される。また、早期公示フラグは、放送チャネル上に伝達されることもある。
【００９４】
図１０は、本発明の一実施例に係る一般化された移動局のブロック構造図である。
【００９５】
図１０によると、移動局１０００は、連合して動作する伝送機１０１０及び受信機１０６０を含む。制御機能を行うプロセッサー１０１５は、伝送機１０１０及び受信機１０６０によって共有される。また、伝送機１０１０及び受信機１０６０は、分離されたプロセッサーを有する。ディスプレイ１０１７、インターフェース１０１９、スピーカー１０２１及びマイクロホン１０２２は、使用者によって移動局１０００が動作するようにプロセッサーと機能的に連結される。チャネルコーディング１０２５及びチャネルデコーディング１０７５は、例えば、余分のビットを付加するようにプロセッサーにそれぞれ機能的に連結され、エラー訂正を行う。シンボルマッピング１０３０及びシンボルデマッピング１０８０は、チャネルコーディング１０２５及びチャネルデコーディング１０７５にそれぞれ機能的に連結され、例えば、ＱＰＳＫ、１６ＱＡＭなどのビットを信号にマッピングする。副チャネル変調１０３５及び副チャネル復調１０８５は、シンボルマッピング１０３０及びシンボルデマッピング１０８０にそれぞれ機能的に連結され、各信号をＯＦＤＭＡ副搬送波にマッピングする。ＩＦＦＴ（ｉｎｖｅｒｓｅ  ｆａｓｔ  ｆｏｕｒｉｅｒ  ｔｒａｓｎｆｏｒｍ）１０４０及びＦＦＴ（ｆａｓｔ  ｆｏｕｒｉｅｒ  ｔｒａｓｎｆｏｒｍ）１０８７は、副チャネル変調１０３５及び副チャネル復調１０８５にそれぞれ機能的に連結され、多重副搬送波を結合してＯＦＤＭ波形信号を生成する。また、移動局１０００は、各フィルター１０４５，１０８９、ＤＡＣ（ｄｉｇｉｔａｌ  ｔｏ  ａｎａｌｏｇ  ｃｏｎｖｅｒｔｏｒ）１０５０、ＡＤＣ（ａｎａｌｏｇ  ｔｏ  ｄｉｇｉｔａｌ  ｃｏｎｖｅｒｔｏｒ）１０９１及びＲＦ（ｒａｄｉｏ  ｆｒｅｑｕｅｎｃｙ  ｃｏｎｖｅｒｔｏｒ）１０５５，１０９３を含む。
【００９６】
一実施例として、移動局の遊休モードを制御する方法は、前記遊休モードに進入するためにサービング基地局に遊休モード要請を送信し、デコード情報送信フレーム値及びデコード情報変更状態を一つ以上の基地局から受信する段階を含む。また、前記方法は、前記デコード情報変更状態が前記デコード情報の変更を指示する場合、前記遊休モードを維持する段階と、前記送信フレーム値が到達するとき、前記一つ以上の基地局から前記デコード情報を受信する段階とを含む。
【００９７】
前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含む。前記デコード情報は、順方向エラー訂正（Ｆｏｒｗａｒｄ  Ｅｒｒｏｒ  Ｃｏｒｒｅｃｔｉｏｎ：ＦＥＣ）コードタイプ情報を含む。前記伝送フレーム値は、フレーム番号を含む。前記伝送フレーム値は、フレームオフセットを含む。前記一つ以上の基地局は、同一のページンググループに含まれる。また、前記方法は、前記デコード情報変更状態が前記デコード情報の変更なしを指示する場合、前記遊休モードを維持する段階をさらに含む。
【００９８】
本発明の他の様態として、ネットワークで移動局の遊休モードを制御する方法は、前記移動局から前記遊休モードに進入するための遊休モード要請を受信する段階と、前記移動局にデコード情報送信フレーム値及びデコード情報変更状態を送信する段階とを含む。また、前記デコード情報変更状態がデコード情報の変更を指示する場合、前記移動局は、前記遊休モードを維持する。そして、前記方法は、前記送信フレーム値が到達するとき、前記デコード情報を前記移動局に送信する段階を含む。
【００９９】
前記ネットワークは、一つ以上の基地局及びページング制御器を含み、前記ページング制御器は、ページンググループの基地局内のページングを制御するように構成される。前記デコード情報は、ダウンリンクチャネル記述子（ｄｏｗｎｌｉｎｋ  ｃｈａｎｎｅｌ  ｄｅｓｃｒｉｐｔｏｒ：ＤＣＤ）情報及びアップリンクチャネル記述子（ｕｐｌｉｎｋ  ｃｈａｎｎｅｌ  ｄｅｓｃｒｉｐｔｏｒ：ＵＣＤ）情報のうち一つ以上を含む。前記デコード情報は、順方向エラー訂正（ｆｏｒｗａｒ  ｄｅｒｒｏｒ  ｃｏｒｒｅｃｔｉｏｎ：ＦＥＣ）コードタイプ情報を含む。前記デコード情報送信フレーム値及び前記デコード情報変更状態は、各ページング周期ごとに前記移動局に放送される。
【０１００】
したがって、本発明は、移動局のデコーディングを減少させるために、基地局から移動局にチャネル記述子情報早期公示を提供する。その結果、電力消耗が減少することで、通信が一層効果的に行われる。
【０１０１】
本発明は、本発明の精神及び必須的な特徴を逸脱しない範囲で、他の特定の形態で具体化されることは当業者にとって自明である。添付の特許請求の範囲及び本発明の等価的な範囲内で提供される本発明の全ての変更は、本発明の範囲に含まれる。
【図面の簡単な説明】
【０１０２】
【図１】本発明の一実施例に係る広帯域無線接続システムのプロトコル階層を示す構造図である。
【図２】本発明の一実施例に係るＯＦＤＭＡ物理階層の副チャネルを示す説明図である。
【図３】本発明の一実施例に係るＯＦＤＭＡのデータ領域を示す説明図である。
【図４】本発明の一実施例に係るＦＥＣブロックをＯＦＤＭＡ副チャネルとＯＦＤＭシンボルにマッピングする過程を示す説明図である。
【図５】本発明の一実施例に係る広帯域無線接続システムにおいて、ＯＦＤＭＡ物理階層のフレーム構造を示す構造図である。
【図６Ａ】本発明の一実施例に係るＭＡＣ  ＰＤＵ形式を示す構造図である。
【図６Ｂ】本発明の一実施例に係るＭＡＣ管理メッセージ形式を示す構造図である。
【図６Ｃ】本発明の一実施例に係る多数のＭＡＣ  ＰＤＵを連接して一つのアップリンクバーストとして伝送する構造を示す構造図である。
【図７】本発明の一実施例に係る移動局の睡眠モード動作を説明するためのフローチャートである。
【図８】本発明の一実施例に係る遊休モード状態の移動局がＤＣＤ／ＵＣＤメッセージを受信する方法を示す説明図である。
【図９】本発明の他の実施例に係る遊休モード状態の移動局がＤＣＤ／ＵＣＤメッセージを受信する方法を示す説明図である。
【図１０】本発明の一実施例に係る一般化された移動局のブロック構造図である。
【図１】
2008526092.tif 000021
【図２】
2008526092.tif 000022
【図３】
2008526092.tif 000023
【図４】
2008526092.tif 000024
【図５】
2008526092.tif 000025
【図６Ａ】
2008526092.tif 000026
【図６Ｂ】
2008526092.tif 000027
【図６Ｃ】
2008526092.tif 000028
【図７】
2008526092.tif 000029
【図８】
2008526092.tif 000030
【図９】
2008526092.tif 000031
【図１０】
2008526092.tif 000032
【国際調査報告】
2008526092.tif 000033
2008526092.tif 000034